(57)【要約】      （修正有）【課題】タッチスクリーンに対するタッチを調節して、状態情報含むメッセージを相手方に伝達することができるタッチ圧力、タッチ面積及びタッチ時間による感性伝達方法及び端末機を提供する。【解決手段】感性伝達方法は、メッセージの変更対象を決定する段階Ｓ１００、送信者端末機のタッチスクリーンに入力されたタッチのタッチ圧力の大きさ、タッチ面積及びタッチ時間のうち少なくとも一つを検出するタッチ圧力、面積又は時間検出段階Ｓ２００、前記検出されたタッチ圧力の大きさ、タッチ面積及びタッチ時間のうち少なくとも一つによりメッセージの特性を変更するメッセージ特性変更段階Ｓ３００、及び、前記特性が変更されたメッセージを受信者端末機に伝送するメッセージ伝送段階Ｓ４００を含む。【選択図】図４ｂ
2015185172.tif 000002
【特許請求の範囲】
【請求項１】
タッチスクリーンに入力されたタッチのタッチ圧力の大きさ、前記タッチのタッチ面積及び前記タッチのタッチ時間のうち少なくとも一つを検出するタッチ圧力、面積又は時間検出段階と、
前記検出された前記タッチのタッチ圧力の大きさ、前記タッチのタッチ面積及び前記タッチのタッチ時間のうち少なくとも一つによりメッセージの特性を変更するメッセージ特性変更段階と、
前記特性が変更されたメッセージを伝送するメッセージ伝送段階と、
を含む、
タッチ圧力、タッチ面積及びタッチ時間による感性伝達方法。
【請求項２】
前記メッセージ特性変更段階は、
前記検出された前記タッチの圧力の大きさ、前記タッチの面積及び前記タッチの時間のうち少なくとも一つを用いて前記タッチの段階的なタッチレベルを決定し、前記決定された段階的なタッチレベルにより前記特性を変更する、
請求項１に記載のタッチ圧力、タッチ面積及びタッチ時間による感性伝達方法。
【請求項３】
前記メッセージ特性変更段階は、
前記検出された前記タッチの圧力の大きさ、前記タッチの面積及び前記タッチの時間のうち少なくとも一つを用いて前記タッチの非段階的なタッチレベルを決定し、前記決定された非段階的なタッチレベルにより前記特性を変更する、
請求項１に記載のタッチ圧力、タッチ面積及びタッチ時間による感性伝達方法。
【請求項４】
前記メッセージは、視覚的メッセージ、聴覚的メッセージ及び触覚的メッセージのうち少なくとも一つを含む、
請求項１に記載のタッチ圧力、タッチ面積及びタッチ時間による感性伝達方法。
【請求項５】
前記視覚的メッセージの特性は、太さ、大きさ、カラー、テキスト書体、動きの方向、動きの速度、下線、明暗、彩度及び透明度のうち少なくとも一つを含む、請求項４に記載のタッチ圧力、タッチ面積及びタッチ時間による感性伝達方法。
【請求項６】
前記聴覚的メッセージの特性は、ボリューム、周波数、リズム、テンポ及びメロディのうち少なくとも一つを含む、請求項４に記載のタッチ圧力、タッチ面積及びタッチ時間による感性伝達方法。
【請求項７】
前記触覚的メッセージの特性は、強さ、周波数、リズム及びテンポのうち少なくとも一つを含む、請求項４に記載のタッチ圧力、タッチ面積及びタッチ時間による感性伝達方法。
【請求項８】
前記メッセージ特性変更段階は、
前記タッチが単一タッチである場合、前記メッセージの特性が第１状態に変更され、前記入力されたタッチが多重タッチである場合、前記メッセージの特性が第２状態に変更される、
請求項１に記載のタッチ圧力、タッチ面積及びタッチ時間による感性伝達方法。
【請求項９】
前記メッセージ伝送段階は、
前記特性が変更されたメッセージを前記タッチスクリーンに表示する段階を含む、
請求項１に記載のタッチ圧力、タッチ面積及びタッチ時間による感性伝達方法。
【請求項１０】
前記メッセージ特性変更段階は、
前記変更された特性と同一のフィードバックとを通じて前記変更された特性を確認する段階を含む、
請求項１に記載のタッチ圧力、タッチ面積及びタッチ時間による感性伝達方法。
【請求項１１】
前記メッセージ特性変更段階は、
前記変更された特性と相違したフィードバックを通じて前記変更された特性を確認する段階を含む、
請求項１に記載のタッチ圧力、タッチ面積及びタッチ時間による感性伝達方法。
【請求項１２】
前記メッセージ伝送段階は、
前記入力されたタッチを解除することによって、前記特性が変更されたメッセージを伝送する、
請求項１に記載のタッチ圧力、タッチ面積及びタッチ時間による感性伝達方法。
【請求項１３】
前記メッセージの変更される特性を決定するメッセージ特性決定段階をさらに含む、
請求項１に記載のタッチ圧力、タッチ面積及びタッチ時間による感性伝達方法。
【請求項１４】
前記メッセージ特性決定段階は、
前記タッチが単一タッチである場合、前記メッセージの変更される特性を第１特性で決定し、前記入力されたタッチが多重タッチである場合、前記メッセージの変更される特性を第２特性で決定する、
請求項１３に記載のタッチ圧力、タッチ面積及びタッチ時間による感性伝達方法。
【請求項１５】
前記メッセージ特性決定段階は、
前記タッチスクリーンに複数の特性が含まれた特性選択モードがディスプレイされ、前記複数の特性のいずれか一つを選択して前記メッセージの変更される特性を前記選択された特性で決定する、
請求項１３に記載のタッチ圧力、タッチ面積及びタッチ時間による感性伝達方法。
【請求項１６】
タッチスクリーンと、
通信モジュールと、
前記タッチスクリーンに入力されたタッチのタッチ圧力の大きさ及び前記タッチのタッチ面積のうち少なくとも一つを検出するプロセッサと、
前記タッチのタッチ圧力の大きさ及び前記タッチのタッチ面積のうち少なくともいずれか一つによりメッセージの特性を変更し、前記特性が変更されたメッセージを前記通信モジュールを通じて伝送する制御器と、
を含む、
タッチ圧力、タッチ面積及びタッチ時間による感性伝達端末機。
【請求項１７】
タッチスクリーンと、
通信モジュールと、
前記タッチスクリーンに入力されたタッチによる静電容量の変化量を検出するプロセッサと、
前記静電容量の変化量を用いてタッチ時間を計算し、前記タッチのタッチ時間によりメッセージの特性を変更し、前記特性が変更されたメッセージを前記通信モジュールを通じて伝送する制御器と、
を含む、
タッチ圧力、タッチ面積及びタッチ時間による感性伝達端末機。
【請求項１８】
タッチスクリーンと、
通信モジュールと、
前記タッチスクリーンに入力されたタッチのタッチ圧力の大きさ及び前記タッチのタッチ面積のうち少なくとも一つを検出し、前記タッチによる静電容量の変化量を検出するプロセッサと、
前記静電容量の変化量を用いてタッチ時間を計算し、前記タッチのタッチ圧力の大きさ、前記タッチのタッチ面積及び前記タッチのタッチ時間のうち少なくとも一つによりメッセージの特性を変更し、前記特性が変更されたメッセージを前記通信モジュールを通じて伝送する制御器と、
を含む、
タッチ圧力、タッチ面積及びタッチ時間による感性伝達端末機。
【発明の詳細な説明】
【技術分野】
【０００１】
本発明は、タッチ圧力、タッチ面積及びタッチ時間による感性伝達方法及び端末機に関する。
【背景技術】
【０００２】
コンピューティングシステムの操作のために多様な種類の入力装置が用いられている。例えば、ボタン（ｂｕｔｔｏｎ）、キー（ｋｅｙ）、ジョイステック（ｊｏｙｓｔｉｃｋ）及びタッチスクリーンのような入力装置が用いられている。タッチスクリーンの容易で手軽な操作により、コンピューティングシステムの操作時にタッチスクリーンの利用が増加している。
【０００３】
タッチスクリーンは、タッチ−感応表面（ｔｏｕｃｈ−ｓｅｎｓｉｔｉｖｅ ｓｕｒｆａｃｅ）を備えた透明なパネルであり得るタッチセンサーパネル（ｔｏｕｃｈ ｓｅｎｓｏｒ ｐａｎｅｌ）を含んでもよい。このようなタッチセンサーパネルは、ディスプレイパネルの前面に付着されてタッチ−感応表面がディスプレイパネルの見える面を覆うことができる。タッチスクリーンは、使用者が指などでスクリーンを単純に接触することにより、使用者がコンピューティングシステムを操作することができるようにする。一般的に、タッチスクリーンは、パネル上の接触及び接触位置を認識し、コンピューティングシステムはこのような接触を解釈することにより、これに従い演算を行うことができる。また、タッチスクリーンに対するタッチの圧力の大きさを感知することができるタッチセンサーパネルに対する研究が続いている。
【０００４】
コンピューティング装置は、人間の考えや感情を伝達し共有できるようにする重要なコミュニケーション手段として広く用いられている。したがって、このようなコンピューティング装置は、状態情報をより容易に相手方に伝達することができるインタラクション（ｉｎｔｅｒａｃｔｉｏｎ）技術に対する必要性が台頭している。
【発明の概要】
【発明が解決しようとする課題】
【０００５】
そこで、本発明の様々な実施形態により、タッチスクリーンに対するタッチを調節して、状態情報含むメッセージを相手方に伝達することができるタッチ圧力、タッチ面積及びタッチ時間による感性伝達方法及び端末機を提供する。
【課題を解決するための手段】
【０００６】
本発明の実施形態によるタッチ圧力、タッチ面積及びタッチ時間による感性伝達方法は、メッセージの特性を決定する決定段階と、送信者端末のタッチスクリーンにタッチが入力されれば、前記タッチのタッチ圧力の大きさ、前記タッチのタッチ面積及び前記タッチのタッチ時間のうち少なくとも一つを検出する検出段階と、前記検出された前記タッチのタッチ圧力の大きさ、前記タッチのタッチ面積及び前記タッチのタッチ時間のうち少なくとも一つにより前記特性の状態情報を変更する変更段階と、前記変更された状態情報が含まれたメッセージを伝送する伝送段階と、を含む。
【０００７】
また、本発明の実施形態によるタッチ圧力、タッチ面積及びタッチ時間による感性伝達端末は、タッチスクリーンと、通信モジュールと、前記タッチスクリーンにタッチが入力されれば、前記タッチのタッチ圧力の大きさ及び／又は前記タッチのタッチ面積を検出するプロセッサと、メッセージの特性を決定し、前記タッチのタッチ圧力の大きさ及び／又は前記タッチのタッチ面積により前記特性の状態情報を変更し、前記変更された状態情報を含むメッセージを前記通信モジュールを通じて伝送する制御器と、を含む。
【０００８】
また、本発明の実施形態によるタッチ圧力、タッチ面積及びタッチ時間による感性伝達端末は、タッチスクリーンと、通信モジュールと、前記タッチスクリーンにタッチが入力されれば、静電容量の変化量を検出するプロセッサと、前記静電容量の変化量を用いてタッチ時間を計算し、メッセージの特性を決定し、前記タッチのタッチ時間により前記特性の状態情報を変更し、前記変更された状態情報を含むメッセージを前記通信モジュールを通じて伝送する制御器と、を含む。
【０００９】
そして、本発明の実施形態によるタッチ圧力、タッチ面積及びタッチ時間による感性伝達端末は、タッチスクリーンと、通信モジュールと、前記タッチスクリーンにタッチが入力されれば、前記タッチのタッチ圧力の大きさ及び／又は前記タッチのタッチ面積を検出するプロセッサと、前記タッチのタッチ圧力の大きさ及び／又は前記タッチのタッチ面積により発生する静電容量の変化量を用いてタッチ時間を計算し、メッセージの特性を決定し、前記タッチのタッチ圧力の大きさ、前記タッチのタッチ面積及び前記タッチのタッチ時間のうち少なくとも一つにより前記特性の状態情報を変更し、前記変更された状態情報を含むメッセージを前記通信モジュールを通じて伝送する制御器と、を含む。
【発明の効果】
【００１０】
本発明の様々な実施形態によれば、タッチスクリーンに対するタッチを調節して、送信者の感性を含むメッセージを相手方に伝達することができるタッチ圧力、タッチ面積及びタッチ時間による感性伝達方法及び端末機を提供する。
【図面の簡単な説明】
【００１１】
【図１】本発明の実施形態による端末機の構造図である。
【図２ａ】タッチ圧力の大きさによる静電容量の変化量を説明するための図面である。
【図２ｂ】タッチ圧力の大きさによる静電容量の変化量を説明するための図面である。
【図２ｃ】タッチ面積による静電容量の変化量を説明するための図面である。
【図２ｄ】タッチ面積による静電容量の変化量を説明するための図面である。
【図３ａ】タッチ時間を説明するための図面である。
【図３ｂ】タッチ時間を説明するための図面である。
【図４ａ】実施形態によるメッセージの例を示す。
【図４ｂ】本発明の実施形態による感性伝達方法のフローチャートである。
【図５ａ】実施形態による感性伝達方法のうちメッセージの特性を決定する段階を説明する。
【図５ｂ】実施形態による感性伝達方法のうちメッセージの特性を決定する段階を説明する。
【図５ｃ】実施形態による感性伝達方法のうちメッセージの特性を決定する段階を説明する。
【図６ａ】実施形態による感性伝達方法のうち第１実施例による特性の状態情報を変更する段階を説明する。
【図６ｂ】実施形態による感性伝達方法のうち第１実施例による特性の状態情報を変更する段階を説明する。
【図７ａ】実施形態による感性伝達方法のうち第２実施例による特性の状態情報を変更する段階を説明する。
【図７ｂ】実施形態による感性伝達方法のうち第２実施例による特性の状態情報を変更する段階を説明する。
【図７ｃ】実施形態による感性伝達方法のうち第２実施例による特性の状態情報を変更する段階を説明する。
【図８ａ】実施形態による感性伝達方法のうち第３実施例による特性の状態情報を変更する段階を説明する。
【図８ｂ】実施形態による感性伝達方法のうち第３実施例による特性の状態情報を変更する段階を説明する。
【図９】実施形態による感性伝達方法のうち状態情報が含まれたメッセージを受信者端末機に伝送する段階を説明する。
【図１０】第１実施形態によるタッチスクリーンの構造図を例示する。
【図１１ａ】第１実施形態によるタッチスクリーンのタッチ位置感知モジュールの構造図である。
【図１１ｂ】第１実施形態によるタッチスクリーンのタッチ位置感知モジュールの構造図である。
【図１１ｃ】第１実施形態によるタッチスクリーンのタッチ位置感知モジュールの構造図である。
【図１１ｄ】第１実施形態によるタッチスクリーンのタッチ位置感知モジュールの構造図である。
【図１２ａ】第１実施形態によるタッチスクリーンのタッチ圧力感知モジュールの構造図である。
【図１２ｂ】第１実施形態によるタッチスクリーンのタッチ圧力感知モジュールの構造図である。
【図１２ｃ】第１実施形態によるタッチスクリーンのタッチ圧力感知モジュールの構造図である。
【図１２ｄ】第１実施形態によるタッチスクリーンのタッチ圧力感知モジュールの構造図である。
【図１２ｅ】第１実施形態によるタッチスクリーンのタッチ圧力感知モジュールの構造図である。
【図１２ｆ】第１実施形態によるタッチスクリーンのタッチ圧力感知モジュールの構造図である。
【図１３】第２実施形態によるタッチスクリーンの構造図を例示する。
【図１４ａ】第２実施形態によるタッチスクリーンのタッチ位置−圧力感知モジュールの構造図である。
【図１４ｂ】第２実施形態によるタッチスクリーンのタッチ位置−圧力感知モジュールの構造図である。
【図１４ｃ】第２実施形態によるタッチスクリーンのタッチ位置−圧力感知モジュールの構造図である。
【図１４ｄ】第２実施形態によるタッチスクリーンのタッチ位置−圧力感知モジュールの構造図である。
【図１４ｅ】第２実施形態によるタッチスクリーンのタッチ位置−圧力感知モジュールの構造図である。
【図１４ｆ】第２実施形態によるタッチスクリーンのタッチ位置−圧力感知モジュールの構造図である。
【図１４ｇ】第２実施形態によるタッチスクリーンのタッチ位置−圧力感知モジュールの構造図である。
【図１４ｈ】第２実施形態によるタッチスクリーンのタッチ位置−圧力感知モジュールの構造図である。
【図１４ｉ】第２実施形態によるタッチスクリーンのタッチ位置−圧力感知モジュールの構造図である。
【図１４ｊ】第２実施形態によるタッチスクリーンのタッチ位置−圧力感知モジュールの構造図である。
【図１４ｋ】第２実施形態によるタッチスクリーンのタッチ位置−圧力感知モジュールの構造図である。
【図１５】第３実施形態によるタッチスクリーンの構造図を例示する。
【図１６ａ】第３実施形態によるタッチスクリーンのタッチ圧力感知モジュールである。
【図１６ｂ】第３実施形態によるタッチスクリーンのタッチ圧力感知モジュールである。
【図１７ａ】第４実施形態によるタッチスクリーンの構造図を例示する。
【図１７ｂ】第４実施形態によるタッチスクリーンのタッチ圧力感知及びタッチ位置感知のための構造図である。
【図１７ｃ】第４実施形態によるタッチスクリーンのタッチ圧力感知及びタッチ位置感知のための構造図である。
【図１８ａ】実施形態によるタッチ感知モジュールに形成された電極の形態を示す構造図である。
【図１８ｂ】実施形態によるタッチ感知モジュールに形成された電極の形態を示す構造図である。
【図１８ｃ】実施形態によるタッチ感知モジュールに形成された電極の形態を示す構造図である。
【図１８ｄ】実施形態によるタッチ感知モジュールに形成された電極の形態を示す構造図である。
【発明を実施するための形態】
【００１２】
後述する本発明に対する詳細な説明は、本発明を実施することができる特定の実施形態を例示として図示する添付の図面を参照する。これらの実施形態は、当業者が本発明を実施するのに十分なように詳しく説明する。本発明の多様な実施形態は互いに異なるが、相互に排他的である必要はないことが理解されなければならない。後述する詳細な説明は、限定的な意味として取ろうとするのではなく、本発明の範囲は、適切に説明されるならば、その請求項が主張するのと均等なすべての範囲とともに添付された請求項によってのみ限定される。図面において類似の参照符号は様々な側面にわたって同一もしくは類似の機能を指し示す。
【００１３】
以下、添付される図面を参照して本発明の実施形態によるタッチスクリーン１３０を含む端末機１００を説明する。本発明の実施形態による端末機１００の機能及び特徴を詳しくみる前に、端末機１００に含まれるタッチスクリーン１３０について図１０ないし図１８を参照して詳しく見てみる。
【００１４】
図１０は、第１実施形態によるタッチスクリーンの構造図を例示する。
【００１５】
図１０に示されたように、タッチスクリーン１３０は、タッチ位置感知モジュール１０００、前記タッチ位置感知モジュール１０００の下部に配置されたタッチ圧力感知モジュール２０００、前記タッチ圧力感知モジュール２０００の下部に配置されたディスプレイモジュール３０００、及び前記ディスプレイモジュール３０００の下部に配置された基板４０００を含んでもよい。例えば、タッチ位置感知モジュール１０００及びタッチ圧力感知モジュール２０００は、タッチ−感応表面（ｔｏｕｃｈ−ｓｅｎｓｉｔｉｖｅ ｓｕｒｆａｃｅ）を備えた透明なパネルであってもよい。以下で、タッチ位置及び／又はタッチ圧力を感知するためのモジュール１０００、２０００、３０００、５０００は、統合的にタッチ感知モジュールと指称されてもよい。
【００１６】
ディスプレイモジュール３０００は、使用者が視覚的に内容を確認できるように画面をディスプレイすることができる。この時、ディスプレイモジュール３０００に対するディスプレイは、ディスプレイドライバー（ｄｉｓｐｌａｙ ｄｒｉｖｅｒ）を介して行われてもよい。ディスプレイドライバー（図示せず）は、運営体制がディスプレイアダプタを管理又は制御するためのソフトウェアであって、装置ドライバーの一種である。
【００１７】
図１１ａないし図１１ｄは、第１実施形態によるタッチ位置感知モジュールの構造図であり、図１８ａないし図１８ｃは、実施形態によるタッチ位置感知モジュールに形成された電極の形態を示す構造図である。
【００１８】
図１１ａに示されたように、実施形態によるタッチ位置感知モジュール１０００は、一つの層に形成された第１電極１１００を含んでもよい。この時、第１電極１１００は、図１８ａに示された形態のように複数の電極６１００で構成されて、それぞれの電極６１００に駆動信号が入力され、それぞれの電極から自己静電容量に関する情報を含む感知信号が出力されてもよい。使用者の指のような客体が第１電極１１００に近接する場合、指がグランドの役割をして、第１電極１１００の自己静電容量が変わることになる。したがって、端末機１００は、タッチスクリーン１３０に使用者の指のような客体が近接することによって変わる第１電極１１００の自己静電容量を測定してタッチ位置を検出することができる。
【００１９】
図１１ｂに示されたように、実施形態によるタッチ位置感知モジュール１０００は、互いに異なる層に形成された第１電極１１００及び第２電極１２００を含んでもよい。
【００２０】
この時、第１電極１１００及び第２電極１２００は、図１８ｂに示された形態のように、それぞれ複数の第１電極６２００と複数の第２電極６３００で構成され、それぞれ互いに交差するように配列されてもよく、第１電極６２００又は第２電極６３００のうち何れか一つに駆動信号が入力され、他の一つから相互静電容量に関する情報を含む感知信号が出力されてもよい。図１１ｂに示されたように、使用者の指のような客体が第１電極１１００及び第２電極１２００に近接する場合、指がグランドの役割をして、第１電極１１００と第２電極１２００との間の相互静電容量が変わることになる。この場合、端末機１００は、タッチスクリーン１３０に使用者の指のような客体が近接することによって変わる第１電極１１００と第２電極１２００との間の相互静電容量を測定してタッチ位置を検出することができる。また、第１電極６２００及び第２電極６３００に駆動信号が入力され、それぞれの第１電極６２００及び第２電極６３００から自己静電容量に関する情報を含む感知信号が出力されてもよい。図１１ｃに示されたように、使用者の指のような客体が第１電極１１００及び第２電極１２００に近接する場合、指がグランド役割をして、第１電極１１００及び第２電極１２００それぞれの自己静電容量が変わることになる。この場合、端末機１００は、タッチスクリーン１３０に使用者の指のような客体が近接することによって変わる第１電極１１００及び第２電極１２００の自己静電容量を測定してタッチ位置を検出することができる。
【００２１】
図１１ｄに示されたように、実施形態によるタッチ位置感知モジュール１０００は、一つの層に形成された第１電極１１００及び前記第１電極１１００が形成された層と同じ層に形成された第２電極１２００を含んでもよい。
【００２２】
この時、第１電極１１００及び第２電極１２００は、図１８ｃに示された形態のように、それぞれ複数の第１電極６４００と複数の第２電極６５００で構成され、複数の第１電極６４００と複数の第２電極６５００はそれぞれ互いに交差しないながらも、それぞれの第１電極６４００が延びた方向と交差する方向にそれぞれの第２電極６５００が連結されるように配列されてもよく、図１１ｄに示された第１電極６４００又は第２電極６５００を用いてタッチ位置を検出する原理は、図１１ｃを参照して説明されたことと同一なので省略する。
【００２３】
図１２ａないし図１２ｆは、第１実施形態によるタッチ圧力感知モジュールの構造図であり、図１８ａないし図１８ｄは、実施形態によるタッチ圧力感知モジュールに形成された電極の形態を示す構造図である。
【００２４】
図１２ａないし図１２ｆに示されたように、第１実施形態によるタッチ圧力感知モジュール２０００は、スペーサ層２４００を含んでもよい。スペーサ層２４００は、エアギャップ（ａｉｒ ｇａｐ）で具現されてもよい。スペーサは、実施形態により衝撃吸収物質からなってもよく、また、実施形態により誘電物質（ｄｉｅｌｅｃｔｒｉｃ ｍａｔｅｒｉａｌ）で満たされてもよい。
【００２５】
図１２ａないし図１２ｄに示されたように、第１実施形態によるタッチ圧力感知モジュール２０００は、基準電位層２５００を含んでもよい。基準電位層２５００は、任意の電位を有してもよい。例えば、基準電位層は、グランド（ｇｒｏｕｎｄ）電位を有するグランド層であってもよい。この時、基準電位層は、後述することになるタッチ圧力を感知するための第１電極２１００が形成された２次元平面又は第２電極２２００が形成された２次元平面と平行した平面を有してもよい。図１２ａないし図１２ｄにおいては、タッチ圧力感知モジュール２０００が基準電位層２５００を含むものと説明したが、必ずしもこれに限定される訳ではなく、タッチ圧力感知モジュール２０００が基準電位層２５００を含まず、タッチ圧力感知モジュール２０００の下部に配置されたディスプレイモジュール３０００又は基板４０００が基準電位層の役割をすることができる。
【００２６】
図１２ａに示されたように、実施形態によるタッチ圧力感知モジュール２０００は、一つの層に形成された第１電極２１００、前記第１電極２１００が形成された層の下部に形成されたスペーサ層２４００、及び前記スペーサ層２４００の下部に形成された基準電位層２５００を含んでもよい。
【００２７】
この時、第１電極２１００は、図１８ａに示された形態のように、複数の電極６１００で構成されて、それぞれの電極６１００に駆動信号が入力され、それぞれの電極から自己静電容量に関する情報を含む感知信号が出力されてもよい。使用者の指又はスタイラスのような客体によってタッチスクリーン１３０に圧力が加えられる場合、図１２ｂに示されたように、第１電極２１００が少なくともタッチ位置でたわむことになり、第１電極２１００と基準電位層２５００との間の距離ｄが変わることになって、これにより、第１電極２１００の自己静電容量が変わることになる。したがって、端末機１００は、タッチスクリーン１３０に使用者の指又はスタイラスのような客体により、圧力が加えられることによって変わる第１電極２１００の自己静電容量を測定してタッチ圧力を検出することができる。このように、第１電極２１００が複数の電極６１００で構成されているので、タッチスクリーン１３０に同時に入力されたマルチタッチそれぞれの圧力を検出することができる。また、マルチタッチそれぞれの圧力を検出する必要がない場合、タッチ位置とは関係なく、タッチスクリーン１３０に加えられる全体的な圧力だけ検出すればよいので、タッチ圧力感知モジュール２０００の第１電極２１００は、図１８ｄに示された形態のように一つの電極６６００で構成されてもよい。
【００２８】
図１２ｃに示されたように、実施形態によるタッチ圧力感知モジュール２０００は、第１電極２１００、第１電極２１００が形成された層の下部に形成された第２電極２２００、前記第２電極２２００が形成された層の下部に形成されたスペーサ層２４００、及び前記スペーサ層２４００の下部に形成された基準電位層２５００を含んでもよい。
【００２９】
この時、第１電極２１００及び第２電極２２００は、図１８ｂに示された形態のように構成及び配列されてもよく、第１電極６２００又は第２電極６３００の何れか一つに駆動信号が入力され、他の一つから相互静電容量に関する情報を含む感知信号が出力されてもよい。タッチスクリーン１３０に圧力が加えられる場合、図１２ｄに示されたように、第１電極２１００及び第２電極２２００が少なくともタッチ位置でたわむことになり、第１電極２１００及び第２電極２２００と基準電位層２５００との間の距離ｄが変わることになり、これにより、第１電極２１００と第２電極２２００との間の相互静電容量が変わることになる。したがって、端末機１００は、タッチスクリーン１３０に圧力が加えられることによって変わる第１電極２１００と第２電極２２００との間の相互静電容量を測定してタッチ圧力を検出することができる。このように、第１電極２１００及び第２電極２２００がそれぞれ複数の第１電極６２００及び複数の第２電極６３００で構成されているので、タッチスクリーン１３０に同時に入力されたマルチタッチそれぞれの圧力を検出することができる。また、マルチタッチそれぞれの圧力を検出する必要がない場合、タッチ圧力感知モジュール２０００の第１電極２１００及び第２電極２２００のうち少なくとも一つは、図１８ｄに示された形態のように一つの電極６６００で構成されてもよい。
【００３０】
この時、第１電極２１００と第２電極２２００が同一の層に形成された場合にも、図１２ｃで説明したことと同様に、タッチ圧力が感知されてもよい。ただし、第１電極２１００及び第２電極２２００は、図１８ｃに示された形態のように構成及び配列されてもよく、図１８ｄに示された形態のように一つの電極６６００で構成されてもよい。
【００３１】
図１２ｅに示されたように、実施形態によるタッチ圧力感知モジュール２０００は、一つの層に形成された第１電極２１００、前記第１電極２１００が形成された層の下部に形成されたスペーサ層２４００、及び前記スペーサ層２４００の下部層に形成された第２電極２２００を含んでもよい。
【００３２】
図１２ｅにおいて第１電極２１００と第２電極２２００の構成及び動作は、図１２ｃを参照して説明したことと同一なので省略する。ただし、タッチスクリーン１３０に圧力が加えられる場合、図１２ｆに示されたように、第１電極２１００が少なくともタッチ位置でたわむことになり、第１電極２１００と第２電極２２００との間の距離ｄが変わることになって、これにより、第１電極２１００と第２電極２２００との間の相互静電容量が変わることになる。したがって、端末機１００は、第１電極２１００と第２電極２２００との間の相互静電容量を測定してタッチ圧力を検出することができる。
【００３３】
図１３に示されたように、第２実施形態によるタッチスクリーン１３０は、タッチ位置−圧力感知モジュール５０００、前記タッチ位置−圧力感知モジュール５０００の下部に配置されたディスプレイモジュール３０００、及び前記ディスプレイモジュール３０００の下部に配置された基板４０００を含んでもよい。
【００３４】
図１０に示された実施形態と異なり、図１３に示された実施形態によるタッチ位置−圧力感知モジュール５０００は、タッチ位置を感知するための少なくとも一つの電極及びタッチ圧力を感知するための少なくとも一つの電極を含むが、前記電極のうち少なくとも一つの電極がタッチ位置及びタッチ圧力を感知するのに全て使用される。このようにタッチ位置を感知するための電極とタッチ圧力を感知するための電極を共有することにより、タッチ位置−圧力感知モジュールの製造単価が低くなり、全体的なタッチスクリーン１３０の厚さを低減させることができ、製造工程が単純になり得る。このようにタッチ位置を感知するための電極とタッチ圧力を感知するための電極とを共有する場合において、タッチ位置に対する情報を含む感知信号とタッチ圧力に対する情報を含む感知信号との区分が必要な場合、タッチ位置を感知するための駆動信号とタッチ圧力を感知するための駆動信号との周波数を別にしたり、タッチ位置を感知する時間区間とタッチ圧力を感知する時間区間とを別にして、タッチ位置とタッチ圧力とを区分して感知することができる。
【００３５】
図１４ａないし図１４ｋは、第２実施形態によるタッチ位置−圧力感知モジュールの構造図である。図１４ａないし図１４ｋに示されたように、第２実施形態によるタッチ位置−圧力感知モジュール５０００は、スペーサ層５４００を含んでもよい。
【００３６】
図１４ａないし図１４ｉに示されたように、実施形態によるタッチ位置−圧力感知モジュール５０００は、基準電位層５５００を含んでもよい。基準電位層５５００に対する説明は、図１２ａないし図１２ｄを参照して説明したことと同一なので省略する。ただし、基準電位層は、後述することになるタッチ圧力を感知するための第１電極５１００が形成された２次元平面、第２電極５２００が形成された２次元平面又は第３電極５３００が形成された２次元平面と平行した平面を有してもよい。
【００３７】
図１４ａに示されたように、実施形態によるタッチ位置−圧力感知モジュール５０００は、一つの層に形成された第１電極５１００、前記第１電極５１００が形成された層の下部に形成されたスペーサ層５４００、及び前記スペーサ層５４００の下部に形成された基準電位層５５００を含んでもよい。
【００３８】
図１４ａ及び図１４ｂの構成に対する説明は、図１２ａ及び図１２ｂを参照した説明と類似しており、以下ではその差異点のみを説明する。図１４ｂに示されたように、使用者の指のような客体が第１電極５１００に近接する場合、指がグランドの役割をして、第１電極５１００の自己静電容量の変化を通じてタッチ位置を検出でき、また、前記客体によってタッチスクリーン１３０に圧力が加えられる場合、第１電極５１００と基準電位層５５００との間の距離ｄが変わることになり、これにより、第１電極２１００の自己静電容量の変化を通じてタッチ圧力を検出することができる。
【００３９】
図１４ｃに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部に形成されたスペーサ層５４００、及び前記スペーサ層５４００の下部に形成された基準電位層５５００を含んでもよい。
【００４０】
図１４ｃないし図１４ｆの構成に対する説明は、図１２ｃ及び図１２ｄを参照した説明と類似しており、以下ではその差異点のみを説明する。この時、第１電極５１００及び第２電極５２００は、図１８ａに示された形態のように、それぞれ複数の電極６１００で構成されてもよい。図１４ｄに示されたように、使用者の指のような客体が第１電極５１００に近接する場合、指がグランドの役割をして、第１電極５１００の自己静電容量の変化を通じてタッチ位置を検出でき、また、前記客体によってタッチスクリーン１３０に圧力が加えられる場合、第１電極５１００及び第２電極５２００と基準電位層５５００との間の距離ｄが変わることになり、これにより、第１電極５１００と第２電極５２００との間の相互静電容量の変化を通じてタッチ圧力を検出することができる。
【００４１】
また、実施形態により第１電極５１００及び第２電極５２００は、図１８ｂに示された形態のように、それぞれ複数の第１電極６２００と複数の第２電極６３００で構成され、それぞれ互いに交差するように配列されてもよい。この時、第１電極５１００と第２電極５２００との間の相互静電容量の変化を通じてタッチ位置を検出でき、第２電極５２００と基準電位層５５００との間の距離ｄが変化に伴う第２電極５２００の自己静電容量の変化を通じてタッチ圧力を検出することができる。また、実施形態により、第１電極５１００と第２電極５２００との間の相互静電容量の変化を通じてタッチ位置を検出でき、また、第１電極５１００及び第２電極５２００と基準電位層５５００との間の距離ｄが変化に伴う第１電極５１００と第２電極５２００との間の相互静電容量の変化を通じてタッチ圧力を検出することができる。
【００４２】
この時、第１電極５１００と第２電極５２００が同一の層に形成された場合にも、図１４ｃ及び図１４ｄを参照して説明したことと同様に、タッチ位置及び圧力が感知されてもよい。ただし、図１４ｃ及び図１４ｄにおいて、電極が図１８ｂのように構成されなければならない実施形態に対しては、第１電極５１００及び第２電極５２００が同一の層に形成される場合には、図１８ｃに示された形態のように第１電極５１００及び第２電極５２００が構成されてもよい。
【００４３】
図１４ｅに示されたように、実施形態によるタッチ位置−圧力感知モジュール５０００は、同一の層に形成された第１電極５１００及び第２電極５２００、前記第１電極５１００及び第２電極５２００が形成された層の下部層に形成された第３電極５３００、前記第３電極５３００が形成された層の下部に形成されたスペーサ層５４００、及び前記スペーサ層５４００の下部に形成された基準電位層５５００を含んでもよい。
【００４４】
この時、第１電極５１００及び第２電極５２００は、図１８ｃに示された形態のように構成及び配列されてもよく、第１電極５１００及び第３電極５３００は、図１８ｂに示された形態のように構成及び配列されてもよい。図１４ｆに示されたように、使用者の指のような客体が第１電極５１００及び第２電極５２００に近接する場合、第１電極５１００及び第２電極５２００との間の相互静電容量が変わることになり、タッチ位置を検出することができ、また、前記客体によってタッチスクリーン１３０に圧力が加えられる場合、第１電極５１００及び第３電極５３００と基準電位層５５００との間の距離ｄが変わることになり、これにより、第１電極５１００と第３電極５３００との間の相互静電容量が変わることになって、タッチ圧力を検出することができる。また、実施形態により第１電極５１００と第３電極５３００との間の相互静電容量の変化を通じてタッチ位置を検出することができ、第１電極５１００と第２電極５２００との間の相互静電容量の変化を通じてタッチ圧力を検出することができる。
【００４５】
図１４ｇに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層と同じ層に形成された第３電極５３００、前記第２電極５２００及び第３電極５３００が形成された層の下部に形成されたスペーサ層５４００、及び前記スペーサ層５４００の下部に形成された基準電位層５５００を含んでもよい。
【００４６】
この時、第１電極５１００及び第２電極５２００は、図１８ｂに示された形態のように構成及び配列され、第２電極５２００及び第３電極５３００は、図１８ｃに示された形態のように構成及び配列されてもよい。図１４ｈの場合、第１電極５１００と第２電極５２００との間の相互静電容量の変化を通じてタッチ位置を検出することができ、第２電極５２００と第３電極５３００との間の相互静電容量の変化を通じてタッチ圧力を検出することができる。また、実施形態により、第１電極５１００と第３電極５３００との間の相互静電容量の変化を通じてタッチ位置を検出することができ、第１電極５１００と第２電極５２００との間の相互静電容量の変化を通じてタッチ圧力を検出することができる。
【００４７】
図１４ｉに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部層に形成された第３電極５３００、前記第３電極５３００が形成された層の下部に形成されたスペーサ層５４００、及び前記スペーサ層５４００の下部に形成された基準電位層５５００を含んでもよい。
【００４８】
この時、第１電極５１００及び第２電極５２００は、図１８ｂに示された形態のように構成及び配列されてもよく、第２電極５２００及び第３電極５３００もまた図１８ｂに示された形態のように構成及び配列されてもよい。この時、使用者の指のような客体が第１電極５１００及び第２電極５２００に近接する場合、指がグランドの役割をして、第１電極５１００及び第２電極５２００との間の相互静電容量の変化を通じてタッチ位置を検出することができ、また、前記客体によってタッチスクリーン１３０に圧力が加えられる場合、第２電極５２００及び第３電極５３００と基準電位層５５００との間の距離ｄが変わることになり、これにより、第２電極５２００と第３電極５３００との間の相互静電容量の変化を通じてタッチ圧力を検出することができる。また、実施形態により、使用者の指のような客体が第１電極５１００及び第２電極５２００に近接する場合、指がグランドの役割をして、第１電極５１００及び第２電極５２００それぞれの自己静電容量の変化を通じてタッチ位置を検出することもできる。
【００４９】
図１４ｊに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部に形成されたスペーサ層５４００、及び前記スペーサ層５４００の下部層に形成された第３電極５３００を含んでもよい。
【００５０】
この時、第１電極５１００及び第２電極５２００は、図１８ｂに示された形態のように構成及び配列されてもよく、第３電極５３００は、図１８ａに示された形態のように構成されるか、又は、第２電極５２００及び第３電極５３００が図１８ｂに示された形態のように構成及び配列されてもよい。この時、使用者の指のような客体が第１電極５１００及び第２電極５２００に近接する場合、指がグランドの役割をして、第１電極５１００及び第２電極５２００との間の相互静電容量の変化を通じてタッチ位置を検出することができ、また、前記客体によってタッチスクリーン１３０に圧力が加えられる場合、第２電極５２００と第３電極５３００との間の距離ｄが変わることになり、これにより、第２電極５２００と第３電極５３００との間の相互静電容量の変化を通じてタッチ圧力を検出することができる。また、実施形態により、使用者の指のような客体が第１電極５１００及び第２電極５２００に近接する場合、指がグランドの役割をして、第１電極５１００及び第２電極５２００それぞれの自己静電容量の変化を通じてタッチ位置を検出することができる。
【００５１】
図１４ｋに示されたように、実施形態によるタッチ位置−圧力感知モジュール５０００は、一つの層に形成された第１電極５１００、前記第１電極５１００が形成された層の下部に形成されたスペーサ層５４００、及び前記スペーサ層５４００の下部層に形成された第２電極５２００を含んでもよい。
【００５２】
この時、第１電極５１００及び第２電極５２００は、図１８ｂに示された形態のように構成及び配列されてもよい。この時、第１電極５１００と第２電極５２００との間の相互静電容量が変化を通じてタッチ位置を検出することができ、また、前記客体によってタッチスクリーン１３０に圧力が加えられる場合、第１電極５１００と第２電極５２００との間の距離ｄが変わることになり、これにより、第１電極５１００と第２電極５２００との間の相互静電容量の変化を通じてタッチ圧力を検出することができる。また、第１電極５１００及び第２電極５２００は、図１８ａに示された形態のように構成及び配列されてもよい。この時、使用者の指のような客体が第１電極５１００に近接する場合、指がグランドの役割をして、第１電極５１００の自己静電容量が変わることになり、タッチ位置を検出することができ、第１電極５１００と第２電極５２００との間の相互静電容量の変化を通じてタッチ圧力を検出することができる。
【００５３】
図１５に示されたように、第３実施形態によるタッチスクリーン１３０は、タッチ位置感知モジュール１０００、前記タッチ位置感知モジュール１０００の下部に配置されたディスプレイモジュール３０００、前記ディスプレイモジュール３０００の下部に配置されたタッチ圧力感知モジュール２０００、及び前記タッチ圧力感知モジュール２０００の下部に配置された基板４０００を含んでもよい。
【００５４】
図１０及び図１３に示された実施形態によるタッチスクリーン１３０は、スペーサ層２４００、５４００を含むタッチ圧力感知モジュール２０００、又は、タッチ位置−圧力感知モジュール５０００がディスプレイモジュール３０００の上部に配置されるため、ディスプレイモジュール３０００の色の鮮明度、視認性、及び光の透過率が低下することがある。したがって、このような問題点が発生することを防止するために、タッチ位置感知モジュール１０００とディスプレイモジュール２０００をＯＣＡ（Ｏｐｔｉｃａｌｌｙ Ｃｌｅａｒ Ａｄｈｅｓｉｖｅ）のような接着剤を使用して完全ラミネーション（ｌａｍｉｎａｔｉｏｎ）させ、タッチ圧力感知モジュール２０００をディスプレイモジュール３０００の下部に配置することによって、前述した問題点を軽減及び解消することができる。また、ディスプレイモジュール３０００と基板４０００との間に既に形成されている間隙をタッチ圧力を感知するためのスペーサ層として使用することによって、全体的なタッチスクリーン１３０の厚さを減少させることができる。
【００５５】
図１５に示された実施形態のタッチ位置感知モジュール１０００は、図１１ａないし図１１ｄに示されたタッチ位置感知モジュールと同一である。
【００５６】
図１５に示された実施形態のタッチ圧力感知モジュール２０００は、図１２ａないし図１２ｆに示されたタッチ圧力感知モジュール、及び図１６ａないし図１６ｂに示されたタッチ圧力感知モジュールであってもよい。
【００５７】
図１６ａに示されたように、実施形態によるタッチ圧力感知モジュール２０００は、基準電位層２５００、前記基準電位層２５００の下部に形成されたスペーサ層２４００、及び前記スペーサ層２４００の下部層に形成された第１電極２１００を含んでもよい。図１６ａの構成及び動作は、単に基準電位層２５００と第１電極２１００の相対的な位置が交替したことを除いて図１２ａ及び図１２ｂの構成及び動作と同一なので、以下重複する説明は省略する。
【００５８】
図１６ｂに示されたように、実施形態によるタッチ圧力感知モジュール２０００は、基準電位層２５００、前記グランドの下部に形成されたスペーサ層２４００、前記スペーサ層２４００の下部層に形成された第１電極２１００、及び前記第１電極２１００が形成された層の下部層に形成された第２電極２２００を含んでもよい。図１６ｂの構成及び動作は、単に基準電位層２５００と第１電極２１００及び第２電極２２００の相対的な位置が交替したことを除いて図１２ｃ及び図１２ｄの構成及び動作と同一なので、以下重複する説明は省略する。この時、第１電極２１００と第２電極２２００が同一の層に形成された場合にも、図１２ｃ及び図１２ｄで説明したことと同様にタッチ圧力が感知されてもよい。
【００５９】
図１５においては、タッチ位置感知モジュール１０００の下部にディスプレイモジュール３０００が配置されたものと説明したが、タッチ位置感知モジュール１０００がディスプレイモジュール３０００の内部に含まれた形態も可能である。また、図１５ではディスプレイモジュール３０００の下部にタッチ圧力感知モジュール２０００が配置されたものと説明したが、タッチ圧力感知モジュール２０００の一部がディスプレイモジュール３０００の内部に含まれた形態も可能である。具体的に、前記タッチ圧力感知モジュール２０００の基準電位層２５００がディスプレイモジュール３０００の内部に配置され、前記ディスプレイモジュール３０００の下部に電極２１００、２２００が形成されてもよい。このように基準電位層２５００がディスプレイモジュール３０００の内部に配置されれば、ディスプレイモジュール３０００の内部に形成されている間隙を、タッチ圧力を感知するためのスペーサ層として使用することによって、全体的なタッチスクリーン１３０の厚さを減少させることができる。この時、前記基板４０００の上部に電極２１００、２２００が形成されてもよい。このように、電極２１００、２２００が基板４０００の上部に形成されれば、ディスプレイモジュール３０００の内部に形成されている間隙だけでなく、ディスプレイモジュール３０００と基板４０００との間に形成されている間隙を、タッチ圧力を感知するためのスペーサ層として使用することによって、タッチ圧力を感知する感度をもう少し高めることができる。
【００６０】
図１７ａは、第４実施形態によるスクリーンの構造図を例示する。図１７ａに示されたように、本発明の第４実施形態によるタッチスクリーン１３０は、ディスプレイモジュール３０００内にタッチ位置感知モジュールとタッチ圧力感知モジュールのうち少なくとも一つを含んでもよい。
【００６１】
図１７ｂ及び１７ｃは、それぞれ第４実施形態によるタッチスクリーンのタッチ圧力感知及びタッチ位置感知のための構造図である。図１７ｂ及び図１７ｃでは、ディスプレイモジュール３０００としてＬＣＤパネルを例示する。
【００６２】
ＬＣＤパネルの場合、ディスプレイモジュール３０００は、ＴＦＴ層３１００及びカラーフィルター層３３００（ｃｏｌｏｒ ｆｉｌｔｅｒ ｌａｙｅｒ）を含んでもよい。ＴＦＴ層３１００は、その真上に位置するＴＦＴ基板層３１１０を含む。カラーフィルター層３３００は、その真下に位置するカラーフィルター基板層３２００を含む。ディスプレイモジュール３０００は、ＴＦＴ層３１００とカラーフィルター層３３００との間に液晶層３６００（ｌｉｑｕｉｄ ｃｒｙｓｔａｌ ｌａｙｅｒ）を含む。この時、ＴＦＴ基板層３１１０は，液晶層３６００を駆動するための電場（ｅｌｅｃｔｒｉｃ ｆｉｅｌｄ）を生成するのに必要な電気的構成要素を含む。特に、ＴＦＴ基板層３１１０は、データライン（ｄａｔａ ｌｉｎｅ）、ゲートライン（ｇａｔｅ ｌｉｎｅ）、ＴＦＴ、共通（ｃｏｍｍｏｎ）電極、及びピクセル電極などを含む多様な層からなってもよい。これらの電気的構成要素は、制御された電場を生成して液晶層３６００に位置した液晶を配向させるように作動することができる。
【００６３】
図１７ｂに例示されたように、本発明のディスプレイモジュール３０００は、カラーフィルター基板層３２００に配置されたサブフォトスペーサ３５００（ｓｕｂ−ｐｈｏｔｏ ｓｐａｃｅｒ）を含んでもよい。これらのサブフォトスペーサ３５００は、ロー共通電極３４１０と隣接したガード遮蔽電極３４２０との間の境界点の上に配置されてもよい。この時、ＩＴＯのような伝導性物質層３５１０がサブフォトスペーサ３５００上にパターニングされてもよい。ここで、フリンジ静電容量Ｃ１がロー共通電極３４１０と伝導性物質層３５１０との間に形成され、フリンジ静電容量Ｃ２がガード遮蔽電極３４２０と伝導性物質層３５１０との間に形成されてもよい。
【００６４】
図１７ｂに例示されたようなディスプレイモジュール３０００がタッチ圧力感知モジュールとして動作する時、外部圧力によってサブフォトスペーサ３５００とＴＦＴ基板層３１１０との間の距離が減少し、これによりロー共通電極３４１０とガード遮蔽電極３４２０との間の静電容量が減少することができる。したがって、図１７ｂにおいて、伝導性物質層３５１０が基準電位層の役割を行い、ロー共通電極３４１０とガード遮蔽電極３４２０との間の静電容量の変化を感知することによって、タッチ圧力を感知することができる。
【００６５】
図１７ｃは、ＬＣＤパネルが、ディスプレイモジュール３０００がタッチ位置感知モジュールとして用いられる場合の構造を例示する。図１７ｃでは、共通電極３７３０の配列を例示する。この時、タッチ位置を検出するために、これらの共通電極３７３０は第１領域３７１０と第２領域３７２０とにグループ付けすることができる。したがって、例えば一つの第１領域３７１０に含まれた共通電極３７３０は、図１８ｃの第１電極６４００に対応して機能するように操作されてもよく、また、一つの第２領域３７２０に含まれた共通電極３７３０は、図１８ｃの第２電極６５００に対応して機能するように操作されてもよい。すなわち、ＬＣＤパネルを動作させるための電気的な構成である共通電極３７３０をタッチ位置を検出するのに利用するために共通電極３７３０はグルーピングされてもよく、このようなグルーピングは、構造的な構成と共に動作操作によって達成され得る。
【００６６】
以上で詳しく見たように、図１７に例示されたようなディスプレイモジュール３０００は、ディスプレイモジュール３０００の電気的構成要素を本来の目的どおりに動作するようにすることによって、ディスプレイモジュール３０００として機能することができる。また、ディスプレイモジュール３０００は、ディスプレイモジュール３０００の電気的構成要素の少なくとも一部をタッチ圧力感知のために動作するようにすることによって、タッチ圧力感知モジュールとして機能することができる。また、ディスプレイモジュール３０００は、ディスプレイモジュール３０００の電気的構成要素の少なくとも一部をタッチ位置感知のために動作するようにすることによって、タッチ位置感知モジュールとして機能することができる。この時、それぞれの動作モード（ｍｏｄｅ）は、時分割で動作することができる。すなわち、第１時間区間にディスプレイモジュール３０００はディスプレイモジュールとして作動し、第２時間区間に圧力感知モジュールとして、及び／又は第３時間区間に位置感知モジュールとして機能することができる。
【００６７】
図１７ｂ及び図１７ｃにおいては、単に説明のためにタッチ圧力及び位置感知のためのそれぞれの構造に対して例示するだけであり、ディスプレイモジュール３０００のディスプレイ動作のための電気的構成要素を操作することによって、ディスプレイモジュール３０００がタッチ圧力及び／又はタッチ位置感知のために用いられ得る場合ならば、第４実施形態に含まれてもよい。
【００６８】
以下、添付される図面を参照して本発明の実施形態によるタッチ圧力、タッチ面積及びタッチ時間による感性伝達方法及び端末機を説明する。
【００６９】
図１は、本発明の実施形態による端末機の構造図である。本発明の実施形態による端末機１００は、タッチスクリーン１３０及びプロセッサ１４０を含んでもよい。
【００７０】
本発明の実施形態による端末機１００は、タッチスクリーン１３０を含む装置としてタッチスクリーン１３０に対するタッチを通じて端末機１００に対する入力（ｉｎｐｕｔ）が遂行され得るコンピューティング装置である。本発明の実施形態による端末機１００は、ノートブック（ｎｏｔｅｂｏｏｋ）コンピュータ、ＰＤＡ（Ｐｅｒｓｏｎａｌ Ｄｉｇｉｔａｌ Ａｓｓｉｓｔａｎｔ）及びスマートフォン（ｓｍａｒｔ ｐｈｏｎｅ）のような携帯用電子装置であってもよい。また、本発明の実施形態による端末機１００は、デスクトップ（ｄｅｓｋｔｏｐ）コンピュータ、スマートテレビ（ｓｍａｒｔ ｔｅｌｅｖｉｓｉｏｎ）のような非移動式電子装置であってもよい。
【００７１】
本発明の実施形態によるタッチスクリーン１３０は、送信者が指のような客体でスクリーンを接触（タッチ）することにより、送信者がコンピューティングシステムを操作することができるようにする。一般的に、タッチスクリーン１３０はパネル上の接触を認識し、コンピューティングシステムは、このような接触を解釈することによって、これに従い演算を行うことができる。
【００７２】
本発明の実施形態によるプロセッサ１４０は、タッチスクリーン１３０にタッチが入力されれば、タッチスクリーン１３０に対するタッチの有無及びタッチの位置（又は、座標）を検出することができる。また、本発明の実施形態によるプロセッサ１４０は、タッチ スクリーン１３０にタッチが入力されれば、タッチに伴って発生する静電容量の変化量を測定することができる。
【００７３】
一例として、タッチ時のタッチ圧力の大きさ及び／又はタッチ面積により、前記相互静電容量の変化量の大きさが変わってもよい。したがって、タッチスクリーン１３０にタッチが入力されれば、プロセッサ１４０はタッチ圧力の大きさ及び／又はタッチ面積による静電容量の変化量の大きさを測定することができる。ここで、タッチ圧力の大きさが小さいほど静電容量の変化量は小さくてもよく、タッチ圧力の大きさが大きいほど静電容量の変化量は大きくてもよい。また、タッチ面積が小さいほど静電容量の変化量は小さくてもよく、タッチ面積が大きいほど静電容量の変化量は大きくてもよい。
【００７４】
具体的に、プロセッサ１４０は、タッチスクリーン１３０のタッチ圧力感知モジュール２０００、タッチ位置−圧力感知モジュール５０００又はタッチ圧力を感知することができるディスプレイモジュール３０００を通じてタッチスクリーン１３０に加えられる客体５０の圧力による静電容量の変化量を測定し、測定された静電容量の変化量からタッチ圧力の大きさを算出することができる。
【００７５】
タッチスクリーン１３０にタッチされる客体５０により発生する静電容量の変化量は、複数の感知セルそれぞれの静電容量の変化量の合計で測定することができる。例えば、図２ａに示されたように、タッチスクリーン１３０にタッチされる客体５０を圧力なしにタッチスクリーン１３０にタッチした場合（単純接触）の静電容量の変化量の合計は９０（＝５０＋１０＋１０＋１０＋１０）である。また、図２ｂに示されたように、客体５０を所定の圧力を加えてタッチスクリーン１３０にタッチする場合の静電容量の変化量の合計は５７０（＝９０＋７０＋７０＋７０＋７０＋５０＋５０＋５０＋５０）であってもよい。
【００７６】
また、プロセッサ１４０は、タッチスクリーン１３０のタッチ位置感知モジュール１０００、タッチ位置−圧力感知モジュール５０００又はタッチ位置／圧力を感知することができるディスプレイモジュール３０００を通じてタッチスクリーン１３０に対する客体５０の近接による静電容量の変化量を測定し、測定された静電容量の変化量からタッチ面積を算出することができる。例えば、図２ｃに示されたように、タッチスクリーン１３０にタッチされる客体５０の面積がａの場合の静電容量の変化量の合計は９０（５０＋１０＋１０＋１０＋１０）である。この時、図２ｄに示されたように、タッチスクリーン１３０にタッチされる客体５０の面積がａからｂ（ｂ＞ａ）に大きくなる場合、静電容量の変化量の合計は３１０（＝５０＋４５＋４５＋４５＋４５＋２０＋２０＋２０＋２０）に大きくなってもよい。この時、図２ｃ及び図２ｄの場合、全て客体５０でタッチスクリーン１３０をタッチする際に印加される圧力の大きさは０であるか、もしくは同一であってもよい。
【００７７】
特に、本発明の実施形態によるプロセッサ１４０は、タッチスクリーン１３０に対して直接的にタッチしないが、指のような客体がタッチスクリーン１３０で静電容量の変化を引き起こす程度にタッチスクリーン１３０に十分に近く近接したホバー（ｈｏｖｅｒ）を認識することができる。
【００７８】
例えば、プロセッサ１４０は、タッチスクリーン１３０の表面から客体が約２ｃｍ以内に位置する場合に、タッチスクリーン１３０のタッチ位置感知モジュール１０００又はタッチ位置−圧力感知モジュール５０００を通じてタッチスクリーン１３０に対する客体５０の近接による静電容量の変化を測定し、測定された静電容量の変化量から前記客体の存在の有無とともに客体の位置を検出することができる。この時、意味のない客体の動きがタッチスクリーン１３０に対するホバーリングと誤認されるのを防止するため、タッチスクリーン１３０に対するホバーリングは、客体の動きが所定の条件を満たす場合にホバーリングと認識されてもよい。
【００７９】
例えば、客体が停止した状態でタッチスクリーン１３０の所定の距離以内に所定の時間以上維持される場合に、前記客体の存在がホバーリングと認識されてもよい。この時、「客体がタッチスクリーン１３０に対して停止した状態を有する」とは、タッチスクリーン１３０の２次元表面に対して相対的な２次元の動きが所定の範囲以内であることを意味することができ、この時、動きの誤差は実施形態によって異なるように設定されてもよい。これと同様に、客体が停止する所定の時間もまた実施形態によって異なるように設定されてもよい。客体の動きがタッチスクリーン１３０に対するホバーリングと認識されるために、ホバーリングによりタッチスクリーン１３０で発生する静電容量の変化量が、一般的なタッチスクリーン１３０で発生する静電容量の誤差よりも大きいことが好ましい。
【００８０】
このような客体のホバーリングの間に発生するタッチスクリーン１３０における相互静電容量の変化量の大きさは、タッチスクリーン１３０に対する直接的なタッチの静電容量の変化量の大きさより小さくてもよい。以下で、タッチスクリーン１３０に対するタッチの圧力、面積及び／又は時間の大きさに伴う感性伝達方法において、タッチはホバーリングを含んでもよい。例えば、ホバーリングの場合、タッチ圧力の大きさ及び／又はタッチ面積が最も小さい場合に分類されてもよい。
【００８１】
したがって、プロセッサ１４０は、タッチスクリーン１３０で発生する静電容量の変化量を検出して、タッチ又はホバーリングと認識される程度のタッチがあったかどうか、タッチの位置／タッチ圧力の大きさ／タッチ面積を算出し、及び／又は、タッチに対する静電容量の変化量を測定することができる。
【００８２】
本発明の実施形態による端末機１００は、制御器１１０、メモリ１２０、及び通信モジュール１５０をさらに含んでもよい。
【００８３】
制御器１１０は、プロセッサ１４０から伝送された静電容量の変化量を用いてタッチ時間を計算することができる。具体的に、制御器１１０は、静電容量の変化量が所定値を超過して維持される時間を測定することによって、客体がタッチスクリーン１３０にタッチされた時間を計算することができる。ここで、前記所定値は、ホバーリングによってのみ発生し得る静電容量の変化量の最大値であってもよい。
【００８４】
例えば、前記所定値が２０である時、図３ａに示されたように、静電容量の変化量が２０超過である時間が８ｔであるため、タッチ時間は８ｔである。また、図３ｂに示されたように、静電容量の変化量が２０超過である時間が４ｔであるため、タッチ時間は４ｔである。
【００８５】
制御器１１０は、プロセッサ１４０から伝送された静電容量の変化量によってタッチスクリーン１３０に対するタッチのタッチレベルを決定することができる。具体的に、制御器１１０は、タッチ圧力の大きさ、タッチ面積、及びタッチ時間のうち少なくとも一つにより、段階的なタッチレベル及び／又は非段階的なタッチレベルを決定することができる。
【００８６】
まず、段階的なタッチレベルを説明すると、制御器１１０は、タッチ圧力の大きさ及び／又はタッチ面積による静電容量の変化量の大きさ区間により、段階的なタッチレベルを計算することができる。一例として、静電容量の変化量が０ないし６００の間の値を有すると仮定する場合、最も小さい値を有する０超過ないし１５０の範囲の静電容量の変化量に対しては第１レベルで、その次に大きい値を有する１５０超過ないし３００の範囲の静電容量の変化量に対しては第２レベルで、その次に大きい値を有する３００超過ないし４５０の範囲の静電容量の変化量に対して第３レベルで、そして最も大きい値を有する４５０超過ないし６００の範囲の静電容量の変化量に対しては第４レベルで計算することができる。実施形態により、第１レベルは、ホバーリングによるタッチ圧力の大きさ又はタッチ面積を示してもよい。この時、圧力の大きさ又はタッチ面積の段階区分は、実施形態により変わり得る。例えば、ホバーリングと直接タッチだけを区別することもでき、ホバーリングを含んで多様なレベルで区分することもできる。このような静電容量の変化量とタッチレベルとの相関関係は、レベルテーブルに格納されてもよい。
【００８７】
これは単に例示に過ぎず、タッチ圧力の大きさ及び／又はタッチ面積は、静電容量の変化量に比例するように連続した値を有するように設定されてもよい。
【００８８】
したがって、一例として、図２ｃに示されたタッチスクリーン１３０にタッチされる客体５０の静電容量の変化量は９０であるため第１レベルで計算されてもよく、図２ｄに示されたタッチスクリーン１３０にタッチされる客体５０の静電容量の変化量は３１０であるため第３レベルで計算されてもよい。
【００８９】
ここで、実施形態により、第１レベルはホバーリングによるレベルであってもよい。この時、タッチ圧力の大きさ及び／又はタッチ面積によるレベルの段階区分は、実施形態によって変わり得る。例えば、ホバーリングと直接タッチだけを区別することもでき、ホバーリングを含んで多様なタッチレベルで区分することもできる。
【００９０】
また、制御器１１０は、静電容量の変化量から計算されたタッチ時間を用いて、タッチスクリーン１３０に対するタッチのタッチレベルを決定することができる。具体的に、タッチ時間が０ｔないし１２ｔの間の値を有すると仮定する場合、０ｔ超過ないし３ｔの範囲のタッチ時間に対しては第１レベルで、その次に大きい値を有する３ｔ超過ないし６ｔの範囲のタッチ時間に対しては第２レベルで、その次に大きい値を有する６ｔ超過ないし９ｔの範囲のタッチ時間に対しては第３レベルで、そして最も大きい値を有する９ｔ超過ないし１２ｔの範囲のタッチ時間に対しては第４レベルで計算することができる。
【００９１】
したがって、図３ａに示されたタッチ時間（８ｔ）は第３レベルで計算することができ、図３ｂに示されたタッチ時間（４ｔ）は第２レベルで計算することができる。
【００９２】
このようなタッチ圧力の大きさ、タッチ面積及びタッチ時間のうち少なくとも一つとタッチレベルとの相関関係は、メモリ１２０に格納されてもよい。
【００９３】
また、非段階的なタッチレベルを説明すると、制御器１１０は、タッチ圧力の大きさ及び／又はタッチ面積による静電容量の変化量により、非段階的なタッチレベルを計算することができる。一例として、非段階的なタッチレベルは、静電容量の変化量の大きさ又はタッチ時間の値をそのまま有するか、もしくは、所定の最大値に対する標準化された値を有してもよい。
【００９４】
また、制御器１１０は、タッチスクリーン１３０上に入力されたタッチが単一タッチなのか、又は多重タッチなのかを検出することができる。
【００９５】
ここで、前記単一タッチは、客体５０がタッチスクリーン１３０に予め決定された時間内に１回タッチしたものであり、前記多重タッチは、少なくとも一つの客体５０がタッチスクリーン１３０に予め決定された時間内に２回以上タッチしたものである。具体的に、多重タッチは、第１タッチ及び第２タッチを含んでもよい。この時、第１タッチは、第２タッチに比べてタッチ圧力の大きさが小さいか、もしくはタッチ面積が小さくてもよく、タッチ圧力及びタッチ面積ともに小さくてもよい。また、第１タッチと第２タッチとの間には、客体５０がタッチセンサーパネル１１１に対する接触を解除する時間が含まれてもよい。
【００９６】
また、制御器１１０は、メッセージを、後述することになる通信モジュール１５０を通じて受信者端末機に伝送することができる。また、この時、制御器１１０は、メッセージを送信者の端末機１００のタッチスクリーン１３０を通じてディスプレイするように、ディスプレイドライバーを制御することができる。
【００９７】
本発明の実施形態による通信モジュール１５０は、受信者端末機とメッセージを送受信することができる。例えば、通信モジュール１５０は、移動通信ネットワーク（２世代、３世代、又はそれ以上の移動通信ネットワーク）を通じてインターネットに接続するか、もしくは受信者端末機とデータを送受信できるようにする通信モジュール１５０であってもよい。また、通信モジュール１５０は、Ｗｉ−Ｆｉ、ブルートゥース（ｂｌｕｅｔｏｏｔｈ）などを含む近距離通信ネットワークを通じてインターネットに接続したり、受信者端末機とデータを送受信できる通信モジュール１５０であってもよい。通信モジュール１５０は、受信者端末機とデータを送受信したり、インターネットに接続できるようにする任意の通信モジュールを含んでもよい。
【００９８】
図４ａは、実施形態によるメッセージの例を示す。
【００９９】
図１及び図４ａを参照すると、実施形態によるメッセージは、大きく視覚的メッセージ、聴覚的メッセージ、及び触覚的メッセージを含む。メッセージは、端末機１００を用いて送信者の意思、感情などを受信者端末機に伝達することができる任意の手段であってもよい。
【０１００】
本発明の実施形態において、メッセージを通信モジュール１５０を通じて受信者端末機に伝送することは、端末機１００と少なくとも別の一つの端末機１００にメッセージを伝送することだけでなく、インターネットウェブ（ｗｅｂ）上にメッセージをアップロードすることを含んでもよい。
【０１０１】
視覚的メッセージは、テキスト（ｔｅｘｔ）、写真、絵、エモーティコンなどを含んでもよい。ここで、テキストは、文字、数字、そして任意の記号のようなシンボルが組み合わさった形態を有してもよく、単語、文章、段落など多様な長さを有してもよい。
【０１０２】
視覚的メッセージの特性は、太さ、大きさ、カラー、書体（ｆｏｎｔ）、動きの方向、動きの速度、下線の有無、明暗、彩度、及び透明度などを含んでもよい。
【０１０３】
具体的に、視覚的メッセージの特性を変更することは、太さを厚くしたり薄くなるようにすることができ、大きさを大きくなるようにしたり、小さくなるようにすることができ、カラーを変更することができ、書体を変更することができ、動きの方向を変更することができ、動きの速度を速くしたり遅くすることができ、下線を入れたり抜くことができ、明るくしたり暗くすることができ、濃くしたり薄くすることができ、透明にしたり不透明にすることを含んでもよい。
【０１０４】
ここで、書体、カラー、下線の有無、及び動きの方向などの特性は、前記段階的なタッチレベルによって変更されてもよく、太さ、大きさ、動きの速度、明暗、彩度、及び透明度などの特性は、前記段階的なタッチレベル、又は、前記非段階的なタッチレベルによって変更されてもよい。
【０１０５】
聴覚的メッセージは、声などのようなスピーカーによって出力され得るものを含んでもよい。聴覚的メッセージの特性は、ボリューム、周波数（音高）、テンポ、リズム、及びメロディなどを含んでもよい。
【０１０６】
具体的に、聴覚的メッセージの特性を変更することは、ボリュームを高めたり低くすることができ、周波数（音高）を高めたり低くすることができ、テンポをは速くしたり遅くすることができ、リズムを変更することができ、メロディを変更することを含んでもよい。
【０１０７】
ここで、リズム及びメロディなどの特性は、前記段階的なタッチレベルによって変更されてもよく、ボリューム、周波数、及びテンポなどの特性は、前記段階的なタッチレベル、又は、前記非段階的なタッチレベルによって変更されてもよい。
【０１０８】
触覚的メッセージは、振動などのような振動手段によって出力され得ることを含んでもよい。触覚的メッセージの特性は、強さ、周波数、テンポ、及びリズムなどを含んでもよい。
【０１０９】
具体的に、触覚的メッセージの特性を変更することは、強さを強くしたり弱くすることができ、周波数を高めたり低くすることができ、テンポを速くしたり遅くすることができ、リズムを変更することを含んでもよい。
【０１１０】
ここで、リズムなどの特性は、前記段階的なタッチレベルによって変更されてもよく、ボリューム、周波数、及びテンポなどの特性は、前記段階的なタッチレベル、又は、前記非段階的なタッチレベルによって変更されてもよい。
【０１１１】
タッチスクリーン１３０に入力されたタッチの段階的なタッチレベル及び／又は非段階的なタッチレベルに対応するメッセージの特性情報が、メモリ１２０に格納されてもよい。この時、制御器１１０は、タッチレベルに対応するメッセージの特性情報をメモリ１２０から伝送を受けて、メッセージの特性を変更し、特性が変更されたメッセージを後述することになる通信モジュール１５０を通じて受信者端末機に伝送することができる。
【０１１２】
図４ｂは、本発明の実施形態による感性伝達方法のフローチャートである。
【０１１３】
図４ｂを参照すると、本発明の実施形態による感性伝達方法は、メッセージの変更対象を決定する段階（Ｓ１００）、送信者端末機のタッチスクリーンに入力されたタッチのタッチ圧力の大きさ、タッチ面積及びタッチ時間のうち少なくとも一つを検出するタッチ圧力、面積又は時間検出段階（Ｓ２００）、前記検出されたタッチ圧力の大きさ、タッチ面積及びタッチ時間のうち少なくとも一つによりメッセージの特性を変更するメッセージ特性変更段階（Ｓ３００）、及び、前記特性が変更されたメッセージを受信者端末機に伝送するメッセージ伝送段階（Ｓ４００）を含む。
【０１１４】
図５ａないし図５ｃは、実施形態による感性伝達方法のうちメッセージの変更対象を決定する段階（Ｓ１００）を説明する。
【０１１５】
図５ａを参照すると、端末機１００のタッチスクリーン１３０にメッセージウィンドウ２００がディスプレイされてもよい。タッチスクリーン１３０に対するディスプレイは、ディスプレイドライバーを通じて遂行されてもよい。
【０１１６】
メッセージウィンドウ２００は、端末機１００にプログラムモジュールとして内蔵されていたり、ウェブ上からダウンロード（ｄｏｗｎｌｏａｄ）され、端末機１００上のアプリケーション（ａｐｐｌｉｃａｔｉｏｎ）を実行させることによって、タッチスクリーン１１０にディスプレイされてもよい。
【０１１７】
本発明の実施形態において、メッセージウィンドウ２００は、端末機１００と少なくとも別の一つの端末機との間のショートメッセージ、又は、メッセンジャーのようなリアルタイム又は非リアルタイム対話ウィンドウであってもよい。
【０１１８】
以下では、メッセージウィンドウ２００として端末機１００間の対話ウィンドウを例示するが、これは単に実施例であることが当該技術分野の当業者には自明であろう。
【０１１９】
本発明の実施形態によるメッセージウィンドウ２００は、受信者端末機に伝送するメッセージを入力することができるメッセージ入力ウィンドウ２２１と、メッセージ入力ウィンドウ２２１にエモーティコンを入力するためのエモーティコンキー２３１とを含んでもよい。また、メッセージウィンドウ２００は、受信者端末機との対話履歴が記録された対話ウィンドウ２１０を含んでもよい。対話ウィンドウ２１０において送信者が作成したメッセージ２１１と受信者が作成したメッセージ２１２とが時系列的に記録される。
【０１２０】
図５ｂを参照すると、本発明の第１実施形態による感性伝達方法において、メッセージウィンドウ２００のエモーティコンキー２３１をタッチすることによって該当エモーティコン領域２３０がディスプレイされてもよい。
【０１２１】
また、送信者がメッセージの変更対象を決定する段階（Ｓ１００）において、変更対象はメッセージに予め設定された基本変更対象に決定されてもよい。
【０１２２】
一例として、送信者によって又は端末機の最初の設定によって、特定のエモーティコンの変更対象が大きさで設定された状態において、前記特定のエモーティコンをタッチすると、変更対象が大きさに決定されてもよい。
【０１２３】
本発明の実施形態による感性伝達方法は、メッセージの変更対象を決定する段階（Ｓ１００）において、メッセージの変更される特性を決定するメッセージ特性決定段階をさらに含んでもよい。
【０１２４】
メッセージ特性決定段階において、メッセージの変更される特性は、予め設定されたタッチ方式によって決定されてもよい。具体的に、入力されたタッチが単一タッチである場合、メッセージの変更される特性を第１特性として決定し、入力されたタッチが多重タッチである場合、メッセージの変更される特性を第１特性と異なる第２特性として決定することができる。一例として、送信者によって又は端末機の最初の設定によって、特定のエモーティコンに入力されたタッチが単一タッチである場合、変更されるメッセージの特性が大きさとして設定され、多重タッチである場合、変更されるメッセージの特性がカラーとして設定された状態において、前記特定のエモーティコンに単一タッチが入力されれば、メッセージの変更される特性が大きさに決定されてもよく、前記特定のエモーティコンに多重タッチが入力されれば、メッセージの変更される特性がカラーに決定されてもよい。
【０１２５】
メッセージ特性決定段階は、複数の特性のうち変更しようとする特性を決定する別途の選択段階を含んでもよい。
【０１２６】
一例として、図５ｃを参照すると、送信者がエモーティコン領域２３０のエモーティコンをタッチすることによって、タッチスクリーンに複数の特性が含まれた特性選択モード２３３がディスプレイされ、複数の特性のうち一つを選択して、メッセージの変更される特性を前記選択された特性に決定することができる。したがって、送信者がメッセージの大きさを変更しようとすれば、特性選択モード２３３の大きさがディスプレイされた領域をタッチし、メッセージの変更される特性を大きさに決定することができる。ここで、特性選択モード２３３にディスプレイされる特性は、送信者の別途の設定によって変更されてもよい。
【０１２７】
送信者端末機のタッチスクリーン１３０上にタッチが入力されれば、タッチ圧力の大きさ、タッチ面積及びタッチ時間のうち少なくとも一つを検出する（Ｓ２００）。具体的に、制御器１１０はタッチが入力されれば、前記タッチの圧力の大きさ、前記タッチの面積及び前記タッチの時間のうち少なくとも一つにより、段階的なタッチレベル及び／又は非段階的なタッチレベルを決定することができる。
【０１２８】
図１、図６ａ及び図６ｂは、実施形態による感性伝達方法のうち第１実施例によるメッセージの特性を変更するメッセージ特性変更段階（Ｓ３００）を説明する。
【０１２９】
メッセージの変更される特性は、メッセージに予め設定された基本特性に決定されてもよい。一例として、送信者によって又は端末機の最初の設定によって、テキストの変更される特性が書体に設定されてもよい。
【０１３０】
具体的に、以下では、メッセージはテキストであり、特性は書体である場合、メッセージの特性を変更する段階を説明することにする。
【０１３１】
図６ａ及び図６ｂを参照すると、テキストがディスプレイされたメッセージ入力ウィンドウ２２１をタッチすると、タッチ圧力の大きさ、タッチ面積及びタッチ時間のうち少なくとも一つを用いてテキストの書体を変更することができる。
【０１３２】
具体的に、第１レベルが宮書体に、第２レベルがヒューマン手紙体に、第３レベルがゴシック体に、第４レベルが丸ゴシック体に設定された場合、タッチ圧力の大きさを用いてメッセージの特性を変更する例を説明する。
【０１３３】
図６ａに示されたように、入力されたタッチ圧力の大きさが第１レベルならば、伝送しようとするテキストの書体が宮書体に変更されてもよい。また、図６ｂに示されたように、入力されたタッチ圧力の大きさが第２レベルならば、伝送しようとするテキストの書体がヒューマン手紙体に変更されてもよい。この時、変更された書体のメッセージがメッセージ入力ウィンドウ２２１にディスプレイされてもよい。このように変更された特性と同一のフィードバックを送信者が確認することによって、送信者が、現在自らが選択した書体がどんな書体なのか確認することができる。
【０１３４】
ここで、書体の変更は、段階的なタッチレベルで決定されるため、書体は、タッチレベルによって予め設定された多様な書体に変更されてもよい。
【０１３５】
このように、送信者は、伝送しようとするテキストの書体を宮書体に変更し、真摯な感性を伝達したり、伝送しようとするテキストの書体をヒューマン手紙体に変更し、いたずらっぽい感情を伝達することができる。
【０１３６】
ここで、タッチ圧力の大きさ及び／又はタッチ面積による段階的なタッチレベルを変更しようとする場合、送信者は、所望する段階的なタッチレベルを最終選択する前まで、タッチ圧力の大きさ及び／又はタッチ面積を変更することによって、送信者が所望する非段階的なタッチレベルを選択することができる。例えば、送信者は、メッセージ入力ウィンドウ２２１に指をタッチした状態で、タッチの圧力の大きさ及び／又は面積を所望するタッチ圧力の大きさ及び／又はタッチ面積に調節した後、タッチスクリーンからタッチされた指を離すことができる。
【０１３７】
この時、前記指がタッチスクリーンに対するホバーリングと認識され得る位置に留まる場合、制御器１１０は、まだタッチ圧力の大きさ及び／又はタッチ面積を確認する過程にあると認識することができる。したがって、送信者は所望するタッチ圧力の大きさ及び／又はタッチ面積でメッセージ入力ウィンドウ２２１を押した後、指をタッチスクリーンに対するホバーリングと認識され得る位置から抜け出すように移動させることができる。
【０１３８】
例えば、所望するタッチレベルが第２レベルである場合、送信者がメッセージ入力ウィンドウ２２１に入力されたタッチのタッチレベルが第２レベルであることを確認した後、タッチされた指をメッセージ入力ウィンドウ２２１から離すことによって、第２レベルの選択が成されてもよい。
【０１３９】
ここで、前記指を離す過程において、タッチレベルは第２レベルから第１レベルを過ぎることになり、タッチ圧力の大きさ及び／又はタッチ面積がない状態になるだろう。この時、タッチレベルが、各タッチレベルで留まる時間が所定の時間以下である時は、該当タッチレベルへの選択が成されないように設定することによって、前記指を離す時、意図しないタッチレベルが選択されるエラーを防止することができる。
【０１４０】
また、タッチ時間によりタッチレベルを変更しようとする場合、所望するタッチレベルに到達しなかった場合、使用者が所望するタッチ時間に到達する時までタッチを維持し、所望するタッチレベルを選択することができる。しかし、所望するタッチレベルを過ぎた場合には、タッチレベルを下げて選択することができない。
【０１４１】
このような場合、所定の最大タッチ時間を経過してタッチを維持すれば、再びタッチ レベルをリセットして低いレベルのタッチレベルを選択できるようにすることによって、所望するタッチレベルを選択することができる。
【０１４２】
具体的に、メッセージ入力ウィンドウ２２１をタッチする時間が第４レベルを超過すれば、タッチレベルが再び第１レベルからスタートし、この時、再び第１レベルであることが表示されてもよい。その後、タッチ時間が増加するに従い、第２レベル、第３レベル及び第４レベルの順序でタッチレベルが表示されてもよい。
【０１４３】
また、前記とは異なり、メッセージ入力ウィンドウ２２１をタッチする時間が第４レベルを超過すれば、タッチレベルが第３レベルに下げられ、この時、再び第３レベルであることが表示されてもよい。その後、タッチ時間が増加するに従い、逆順に第２レベル、第１レベルとレベルが低くなって、第１レベルに到達すれば再び第２レベル、第３レベルの順序で増加するようにレベルが表示されてもよい。
【０１４４】
図７ａないし図７ｃは、実施形態による感性伝達方法のうち第２実施例によるメッセージの特性を変更する段階（Ｓ２００）を説明する。
【０１４５】
本発明の実施形態によるメッセージウィンドウ２００は、受信者端末機に伝送するメッセージを入力することができるメッセージ入力ウィンドウ２２１と、メッセージ入力ウィンドウ２２１にエモーティコンを入力するためのエモーティコンキー２３１とを含んでもよい。メッセージウィンドウ２００のエモーティコンキー２３１をタッチすることによって、該当エモーティコン領域２３０がディスプレイされてもよい。また、メッセージウィンドウ２００は、受信者端末機との対話履歴が記録された対話ウィンドウ２１０を含んでもよい。対話ウィンドウ２１０に送信者が作成したメッセージ２１１と受信者が作成したメッセージ２１２とが時系列的に記録される。
【０１４６】
メッセージの変更される特性は、メッセージに予め設定された基本特性で決定されてもよい。一例として、送信者によって又は端末機の最初の設定によって、特定のエモーティコンの変更される特性が大きさで設定されてもよい。
【０１４７】
具体的に、以下では、メッセージはエモーティコンであり、特性は大きさである場合、メッセージの特性を変更する段階を説明することにする。
【０１４８】
図７ａ及び図７ｂを参照すると、タッチ圧力の大きさ、タッチ面積及びタッチ時間のうち少なくとも一つを用いてエモーティコンの大きさを変更することができる。
【０１４９】
具体的に、タッチ圧力の大きさを用いてメッセージの特性を変更する例を説明する。
【０１５０】
図７ａに示されたように、入力されたタッチ圧力の大きさが大きくなれば、これに対応してエモーティコンの大きさが大きい大きさに変更されてもよい。また、図７ｂに示されたように、入力されたタッチ圧力の大きさが小さくなれば、これに対応してエモーティコンの大きさが小さい大きさに変更されてもよい。この時、変更された大きさのエモーティコンがエモーティコン領域２３０にディスプレイされてもよい。このように、変更された特性と同一のフィードバックを送信者が確認することによって、送信者が現在自らが選択した大きさがどんな大きさなのか確認することができる。
【０１５１】
この時、メッセージの特性が変更される状態は、予め設定されたタッチ方式によって決定されてもよい。具体的に、入力されたタッチが単一タッチである場合、メッセージの特性が第１状態に変更され、入力されたタッチが多重タッチである場合、メッセージの特性が第１状態と異なる第２状態に変更されてもよい。一例として、エモーティコンに入力されたタッチが単一タッチである場合、エモーティコンの大きさが大きくなる第１状態に変更され、多重タッチである場合、エモーティコンの大きさが小さくなる第２状態に変更されてもよい。したがって、エモーティコンに単一タッチが入力されれば、エモーティコンの大きさが、タッチが入力される前のエモーティコンの大きさより大きい大きさに変更されるが、入力されたタッチ圧力の大きさが大きければ、エモーティコンの大きさが大きくなる比率が大きくなり、入力されたタッチ圧力の大きさが小さければ、エモーティコンの大きさが大きくなる比率が小さくなり、エモーティコンに多重タッチが入力されれば、エモーティコンの大きさが、タッチが入力される前のエモーティコンの大きさより小さい大きさに変更されるが、入力されたタッチ圧力の大きさが大きければ、エモーティコンの大きさが小さくなる比率が大きくなり、入力されたタッチ圧力の大きさが小さければ、エモーティコンの大きさが小さくなる比率が小さくなってもよい。
【０１５２】
ここで、エモーティコンの大きさの変更は、非段階的なタッチレベルで決定され得るため、入力されたタッチ圧力が大きくなったり小さくなることによって、エモーティコンの大きさが非段階的に変更されてもよい。
【０１５３】
ここで、図７ａ及び図７ｂにおいては、エモーティコンの大きさを変更する時、変更された大きさのエモーティコンがエモーティコン領域２３０にディスプレイされることによって、送信者が変更された特性と同一のフィードバックを確認することで説明したが、必ずしもこれに限定される訳ではなく、送信者が変更された特性と相違したフィードバックを確認することができる。例えば、図７ｃに示されたように、エモーティコンの変更された大きさ情報がエモーティコン領域のデジタルバー２３５にディスプレイされてもよい。したがって、送信者が現在自らが選択した大きさがどんな大きさなのか確認することができる。このように、実施形態による感性表現方法は、多様なフィードバックを用いて送信者がメッセージの変更された特性を確認することができる。
【０１５４】
ここで、エモーティコンの大きさ変更が非段階的なタッチレベルで決定される方法について説明したが、図６ａ及び図６ｂで説明されたように、段階的なタッチレベルで決定されてもよい。
【０１５５】
このように、送信者は、伝送しようとする笑う様子のエモーティコンの大きさを大きくして大きく笑う感性を伝達したり、伝送しようとする笑う様子のエモーティコンの大きさを小さくして小さく笑う感性を伝達することができる。
【０１５６】
ここで、タッチ圧力の大きさ及び／又はタッチ面積による非段階的なタッチレベルを変更しようとする場合、送信者は、所望する非段階的なタッチレベルを最終選択する前までタッチ圧力の大きさ及び／又はタッチ面積を変更することによって、送信者が所望する段階的なタッチレベルを選択することができる。例えば、送信者は、エモーティコン領域２３０のエモーティコンに指をタッチした状態で、タッチの圧力の大きさ及び／又は面積を所望するタッチ圧力の大きさ及び／又はタッチ面積に調節した後、所定の時間以上前記タッチ圧力の大きさ及び／又はタッチ面積を維持することによって、送信者が所望する非段階的なタッチレベルを選択することができる。以下、エモーティコン領域２３０のエモーティコンをタッチして送信者が所望する非段階的なタッチレベルを選択した後、タッチスクリーンからタッチされた指を離してエモーティコンの大きさを変更する過程は、図６ａ及び６ｂで説明されたことと同一である。
【０１５７】
図８ａ及び図８ｂは、実施形態による感性伝達方法のうち第３実施例によるメッセージの特性を変更する段階（Ｓ２００）を説明する。
【０１５８】
メッセージの変更される特性は、メッセージに予め設定された基本特性で決定されてもよい。一例として、送信者によって又は端末機の最初の設定によって、声の変更される特性がボリュームで、振動の変更される特性が強さで設定されてもよい。
【０１５９】
具体的に、以下では、メッセージは声及び振動であり、特性はそれぞれの声のボリューム及び振動の強さである場合、メッセージの特性を変更する段階を説明することにする。
【０１６０】
図８ａ及び図８ｂを参照すると、タッチ圧力の大きさ、タッチ面積及びタッチ時間のうち少なくとも一つを用いて声のボリューム及び振動の強さを変更することができる。
【０１６１】
具体的に、タッチ圧力の大きさを用いてメッセージの特性を変更する例を説明する。
【０１６２】
図８ａに示されたように、エモーティコン領域２３０の声及び振動を含むエモーティコンに入力されたタッチ圧力の大きさが大きくなれば、これに対応して声のボリューム及び振動の強さが大きい大きさに変更されてもよい。また、図８ｂに示されたように、エモーティコン領域２３０の声及び振動を含むエモーティコンに入力されたタッチ圧力の大きさが小さくなれば、これに対応して声のボリューム及び振動の強さが小さい大きさに変更されてもよい。
【０１６３】
ここで、声のボリューム変更及び振動の強さの変更は、非段階的なタッチレベルで決定され得るため、入力されたタッチ圧力が大きくなったり小さくなることによって、声のボリューム及び振動の強さが非段階的に変更されてもよい。
【０１６４】
この時、図８ａ及び図８ｂに示されたように、声の変更されたボリューム情報及び振動の変更された強さの情報がエモーティコン領域のデジタルバー２３５にディスプレイされてもよい。したがって、送信者が、現在自らが選択したボリューム及び強さがどんな大きさなのか確認することができる。このように、変更された特性と相違したフィードバックを送信者が確認することによって、送信者が、現在自らが選択したボリューム及び強さがどんな大きさなのか確認することができる。
【０１６５】
ここで、図８ａ及び図８ｂにおいては、声のボリューム及び振動の強さを変更する時、デジタルバー２３５がエモーティコン領域２３０にディスプレイされることによって、送信者が変更された特性を確認することで説明したが、必ずしみこれに限定される訳ではなく、送信者が変更された特性と同一のフィードバックを確認することができる。例えば、端末機１００のスピーカーのような声出力手段を用いて声のボリュームを確認し、端末機１００の振動出力手段を用いて振動の強さを確認することができる。このように、実施形態による感性表現方法は、多様なフィードバックを用いて送信者がメッセージの変更された特性を確認することができる。
【０１６６】
ここで、声のボリューム変更及び振動の強さの変更が非段階的なタッチレベルで決定される方法について説明したが、図６ａ及び６ｂで説明されたように、段階的なタッチレベルで決定されてもよい。
【０１６７】
このように、送信者は、伝送しようとする声のボリュームを大きくして、非常に悲しい感性を伝達したり、伝送しようとする声のボリュームを小さくして、少し悲しい感性を伝達することができる。また、送信者は、伝送しようとする振動の強さを大きくして、非常に悲しい感性を伝達したり、伝送しようとする振動の強さを小さくして、少し悲しい感性を伝達することができる。
【０１６８】
以下、エモーティコン領域２３０の声及び振動を含むエモーティコンをタッチして送信者が所望する非段階的なタッチレベルを選択する過程と、タッチスクリーンからタッチされた指を離して声のボリューム及び振動の強さを変更する過程とは、図７ａ及び７ｂで説明されたことと同一である。
【０１６９】
図９は、実施形態による感性伝達方法のうち、特性が変更されたメッセージを受信者端末機に伝送する段階（Ｓ４００）を説明する。具体的に、図９は、図７ａに説明されたように、大きさが大きい大きさに変更されたエモーティコンがそれぞれ送信者の端末機１００と受信者端末機３００にディスプレイされた状態を示した図面である。
【０１７０】
図９を参照すると、送信者は、特定のボタンを押すなどの入力行為をすることによって、受信者端末機に伝送しようとするメッセージを伝送することができる。
【０１７１】
例えば、図９に示されたように、伝送ボタン２２２をタッチすることによって、選択したエモーティコンを伝送することができる。受信者端末機３００に伝送された結果は、送信者の端末機１００の対話ウィンドウ２１０にも表示されてもよい。
【０１７２】
また、送信者は、メッセージの特性を変更した後、入力されたタッチを解除することによって、受信者端末機３００に特性が変更されたメッセージを伝送することができる。すなわち、伝送ボタン２２２を押す過程が省略されて、タッチを入力して伝送しようとするメッセージの特性を変更した後、入力されたタッチを解除することによって、伝送しようとする特性が変更されたメッセージを受信者端末機３００に伝送することができる。
【０１７３】
例えば、図７ａに示されたエモーティコンの大きさの変更が段階的なタッチレベルで決定される場合、例えば、第４レベルに該当する大きさで、大きさが変更されたエモーティコンを伝送しようとする時、エモーティコンを伝送するために入力されたタッチを解除する場合、タッチを解除する過程でタッチレベルは第４レベルから第３レベルないし第１レベルを過ぎることになり、タッチが解除されるだろう。この時、タッチレベルが各タッチ レベルに留まる時間が所定の時間以下である時は、該当レベルでの選択がなされないように設定することによって、タッチを解除する時に意図しないタッチレベルに該当する状態で、特性が変更されたメッセージが転送されるエラーを防止することができる。
【０１７４】
送信者が伝送しようとする特性が変更されたメッセージを受信者端末機３００に伝送すれば、受信者端末機３００に特性が変更されたメッセージが出力されてもよい。
【０１７５】
例えば、７ａに説明されたように、エモーティコンの大きさが、大きい大きさに変更された状態で、伝送ボタン２２２（ｓｅｎｄ)をタッチすれば、大きい大きさに変更されたエモーティコンが、それぞれ送信者の端末機１００と受信者端末機３００とにディスプレイされてもよい。
【０１７６】
また、例えば、図８ａに説明されたように、ボリュームが大きい大きさに変更された声を受信者端末機３００に伝送すれば、受信者端末機３００にボリュームが大きい大きさに変更された声が、スピーカーを通じて出力されてもよい。
【０１７７】
ここで、前記では、一つの特性が変更されたメッセージを受信者端末機に伝送することを説明したが、必ずしもこれに限定される訳ではなく、本発明の実施形態によるタッチ圧力、タッチ面積及びタッチ時間による感性伝達方法は、複数の特性が変更されたメッセージを受信者端末機に伝送することができる。
【０１７８】
具体的に、第１特性を変更した後、前記第１特性と異なる第２特性を変更し、伝送ボタンをタッチすれば複数の特性が変更されたメッセージが受信者端末機に転送されてもよい。
【０１７９】
以上で実施形態に説明された特徴、構造、効果などは、本発明の一つの実施形態に含まれて、必ずしも一つの実施形態にだけ限定される訳ではない。さらに、各実施形態で例示された特徴、構造、効果などは、実施形態が属する分野の通常の知識を有する者によって、他の実施形態に対しても組み合わせ又は変形されて実施可能である。したがって、このような組み合わせと変形に関係した内容は、本発明の範囲に含まれると解釈されなければならないだろう。
【０１８０】
また、以上において、実施形態を中心に説明したが、これは単に例示に過ぎず、本発明を限定する訳ではなく、本発明が属する分野における通常の知識を有する者であれば、本実施形態の本質的な特徴を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきである。
【符号の説明】
【０１８１】
１００      端末機
１１０      制御器
１２０      メモリ
１３０      タッチスクリーン
１４０      プロセッサ
１５０      通信モジュール
【図１】
2015185172.tif 000003
【図２ａ】
2015185172.tif 000004
【図２ｂ】
2015185172.tif 000005
【図２ｃ】
2015185172.tif 000006
【図２ｄ】
2015185172.tif 000007
【図３ａ】
2015185172.tif 000008
【図３ｂ】
2015185172.tif 000009
【図４ａ】
2015185172.tif 000010
【図４ｂ】
2015185172.tif 000011
【図５ａ】
2015185172.tif 000012
【図５ｂ】
2015185172.tif 000013
【図５ｃ】
2015185172.tif 000014
【図６ａ】
2015185172.tif 000015
【図６ｂ】
2015185172.tif 000016
【図７ａ】
2015185172.tif 000017
【図７ｂ】
2015185172.tif 000018
【図７ｃ】
2015185172.tif 000019
【図８ａ】
2015185172.tif 000020
【図８ｂ】
2015185172.tif 000021
【図９】
2015185172.tif 000022
【図１０】
2015185172.tif 000023
【図１１ａ】
2015185172.tif 000024
【図１１ｂ】
2015185172.tif 000025
【図１１ｃ】
2015185172.tif 000026
【図１１ｄ】
2015185172.tif 000027
【図１２ａ】
2015185172.tif 000028
【図１２ｂ】
2015185172.tif 000029
【図１２ｃ】
2015185172.tif 000030
【図１２ｄ】
2015185172.tif 000031
【図１２ｅ】
2015185172.tif 000032
【図１２ｆ】
2015185172.tif 000033
【図１３】
2015185172.tif 000034
【図１４ａ】
2015185172.tif 000035
【図１４ｂ】
2015185172.tif 000036
【図１４ｃ】
2015185172.tif 000037
【図１４ｄ】
2015185172.tif 000038
【図１４ｅ】
2015185172.tif 000039
【図１４ｆ】
2015185172.tif 000040
【図１４ｇ】
2015185172.tif 000041
【図１４ｈ】
2015185172.tif 000042
【図１４ｉ】
2015185172.tif 000043
【図１４ｊ】
2015185172.tif 000044
【図１４ｋ】
2015185172.tif 000045
【図１５】
2015185172.tif 000046
【図１６ａ】
2015185172.tif 000047
【図１６ｂ】
2015185172.tif 000048
【図１７ａ】
2015185172.tif 000049
【図１７ｂ】
2015185172.tif 000050
【図１７ｃ】
2015185172.tif 000051
【図１８ａ】
2015185172.tif 000052
【図１８ｂ】
2015185172.tif 000053
【図１８ｃ】
2015185172.tif 000054
【図１８ｄ】
2015185172.tif 000055